(57)【特許請求の範囲】
【請求項１】
基台と、互いに長手方向に貫挿し、上昇につれて段階的に縮径した複数段の中空テレスコフレームと、該テレスコフレームの内部を通りこれを段階的に伸縮させる複数段のテレスコプランジャとからなり、基台とテレスコフレーム間の内側壁部に沿って支持・圧接されたガイドレールとガイドシューからなる等速に昇降可能なガイドレール機能が組み込まれたテレスコフレーム方式の中層エレベータにおいて、
（Ａ）建造物等の壁部に取付けられた基部内に設けられた自動的に前後移動するガイドプレートが、かご部に取り付けられた相対する受部にエレベータの昇降・停止に同期して嵌合状態と離脱状態とを繰り返す機構であって、（イ）エレベータが停止する階では、該基部内に設けられたガイドプレートが、かご部の相対する受部に嵌合して該壁部にかご部を固定状態とし、（ロ）エレベータの通過階では、該ガイドプレートが自動的に基部内に引込んで、該かご部が該ガイドプレートに接触しない状態となる、ガイドプレートが自動に前後移動式の係合装置からなる位置決め装置と
（Ｂ）かごドアと乗場ドアの下方部に配置された蓋部が、両ドアの開閉に同期して左右に進退自在に可動することにより、乗場とかご部との仕切りにあるドア敷居溝部の隙間を覆う（閉鎖）・開放する、蓋部によるドア敷居溝部の自動開閉機構とを備えたことを特徴とする中層エレベータ。
【請求項２】
位置決め装置（Ａ）を構成するガイドプレートの前後移動の機構が、かご部の昇降・停止に同期してパワーシリンダを上下に可動させてガイドローラとアーム機構とにより支えられたガイドプレートを前後移動させることからなることを特徴とする請求項１記載の中層エレベータ。
【請求項３】
蓋部によるドア敷居溝部の自動開閉機構（Ｂ）が、かごドア及び乗場ドアの間に設けたスプリングにより固定されたかごドアと乗場ドアの下方部に配置された蓋部が、両ドアの開閉に同期して該スプリングが左右に可動することにより該溝部の隙間を覆う（閉鎖）・開放することからなることを特徴とする請求項１記載の中層エレベータ。
【請求項４】
左右に進退自在に可動する該蓋部が、長手方向に連続した複数個の矩形から構成されていることを特徴とする請求項１記載の中層エレベータ。
【発明の詳細な説明】
【技術分野】
【０００１】
本発明は、等速多段式により昇降する自立テレスコ型フレーム方式による耐震性能に優れた中層用エレベータに適する改良に関する。
特に、本発明は、上記Ｔ型ガイドレールを省略する代わりに、自立テレスコ型フレーム内側に特定のレールとガイドシュ−からなるガイドレール機構を組込んで昇降する耐震構造の中層用エレベータに適する改良に関する。
詳細には、本発明の中層用エレベータに適する改良は、（ｉ）ガイドプレートが自動的に前後移動式の係合装置からなる位置決め装置によってかご部の揺れを防止する機構と（ｉｉ）ドア開閉溝部の隙間に開閉自在に覆う蓋部によって靴踵等が挟まれないようにする蓋部の自動開閉機構の採用による中層用エレベータの性能を向上させる機構の採用に関する。
【背景技術】
【０００２】
エレベータは通常昇降路内に固定されているＴ型ガイドレールに案内され、油圧式、ロープ式、リニア式等の昇降システムにより昇降する。
最近、昇降路のない室内オープン型エレベータの進出が多くなり、デザイン上の問題を如何に解決するかが関係者の問題となっている。
また、Ｔ型ガイドレールがあると視覚的効果が薄く、特に、油圧直接方式エレベータの場合、かごパネル、ドア等をガラスにすることはＴ型ガイドレールが見えて美観上問題があった。
【０００３】
更に、Ｔ型ガイドレール等の従来方式と同等の耐震性能を保持する必要もあり、その解決が待たれていた。
また、従来方式として、種々のものが提案され且つ市場に出回っている。
即ち、パンダグラフ式油圧直接エレベータ、ヘリポート式（災害、救出用）エレベータ、段差解消機、ホームエレベータなどがある。
実開平３−１１７８号公報には、伸縮式シリンダ方式を利用したホームエレベータが知られているが、耐震性を考えた場合には通常のエレベータへの応用には、その機構等の点で不十分なものであった。
また、実公平４−４９１７９号公報には、巻上方式のホームエレベータが示されているが、ガイドレール機構を構成するガイドレールとガイドロールとをフレームの壁面と角面とに別々に設けているので、耐震性を十分に果たすことができない。
【０００４】
先に、出願人は、上記の耐震性を十分に果たすことができる画期的な構成を有するエレベータを見い出し、出願して特許発明として確立させた（特開２００７−３９２２７号公報；特許第３９５７７２４号公報）。
即ち、その特許発明は、テレスコフレーム方式のテレスコプランジャ駆動のエレベータであって、（イ）テレスコフレームが上昇につれて段階的に縮径しているので、形態的に安定して耐震性に優れ、（ロ）テレスコフレーム方式であるので、Ｔ型ガイドレールを省略できエレベータの昇降路を必要とせず、かごを透明にして展望用エレベータとして利用でき、（ハ）テレスコフレームの内側に特定のガイドレール機能が組み込まれているので、昇降時の横揺れが少なく耐震性に優れ、（ニ）テレスコフレームの動きが機構的に等速に昇降して地震や横揺れ等に対して安全性が確保されている。
【発明の開示】
【発明が解決しようとする課題】
【０００５】
以上の通り、特許発明により、従来技術では得られない新規な昇降方式の耐震性を十分に果たす画期的なエレベータが提供できたが、本発明では、更に種々の改良、即ち中層エレベータに適合するように、（ｉ）特定の機構によりガイドプレートが自動的に前後移動式の係合装置からなる位置決め装置と、（ｉｉ）特定の機構によりドア開閉溝部の隙間に開閉自在に覆う蓋部を設ける自動開閉機構との採用により、中層エレベータの性能を向上させるものである。
【課題を解決するための手段】
【０００６】
本発明者は、先の特許発明を基礎にして、以下の改良を加え、中層エレベータの性能を向上させるものである。
即ち、（ｉ）特定の機構によりガイドプレートが自動的に前後移動式の係合装置からなる位置決め装置と、
（ｉｉ）特定の機構によりドア開閉溝部の隙間に開閉自在に覆う蓋部を設ける自動開閉機構との採用により、中層エレベータの性能を向上させ得ることを見出し、本発明を完成するに至った。
【０００７】
即ち、本発明は；
（１）基台（例えばスタンドパイプ）１７と、互いに長手方向に貫挿し、上昇につれて段階的に縮径した複数段の中空テレスコフレーム３、４、５と、該テレスコフレームの内部を通りこれを段階的に伸縮させる複数段のテレスコプランジャ６、７、８とからなり、基台１７とテレスコフレーム間の内側壁部に沿って支持・圧接されたガイドレール１５、１６、２７とガイドシュー１３、１４、２８からなる等速に昇降可能なガイドレール機能が組み込まれたテレスコフレーム方式の中層エレベータにおいて、
（Ａ）建造物等の壁部３１に取付けられた基部３３内に設けられた自動的に前後移動するガイドプレート３２が、かご部１に取り付けられた相対する受部３４にエレベータの昇降・停止に同期して嵌合状態と離脱状態とを繰り返す機構であって、（イ）エレベータが停止する階では、該基部内に設けられたガイドプレート３２が、かご部１の相対する受部３４に嵌合して該壁部３１にかご部１を固定状態とし（図７−（イ））、（ロ）エレベータの通過階では、該ガイドプレート３２が自動的に基部３３内に引込んで、該かご受部３４が該ガイドプレート３２に接触しない状態となる（図７−（ロ））、ガイドプレート３２が自動に前後移動式の係合装置からなる位置決め装置２３、２３’（乗場用）；２４、２４’（かご用）と
（Ｂ）かごドアと乗場ドアの下方部に配置された蓋部４７が、両ドアの開閉に同期して左右に進退自在に可動することにより、乗場５０とかご部１との仕切りにあるドア敷居溝部３９の隙間を覆う（閉鎖）・開放する、蓋部４７によるドア敷居溝部の自動開閉機構（図１１、１２）とを備えた点にも特徴を有する。また、
【０００８】
（２）位置決め装置（Ａ）を構成するガイドプレート３２、３２’の前後移動の機構が、かご部１の昇降・停止に同期してパワーシリンダ４０を上下に可動させてガイドローラ４１とアーム機構４２とにより支えられたガイドプレート３２、３２’を前後移動させる（図８）ことからなる点にも特徴を有する。また、
（３）蓋部によるドア敷居溝部の自動開閉機構（Ｂ）が、かごドア及び乗場ドアの間に設けたスプリング４８により固定されたかごドアと乗場ドアの下方部に配置された蓋部４７が、両ドアの開閉に同期して該スプリング４８が左右に可動することにより該溝部の隙間を覆う（閉鎖）・開放することからなる（図１１、１２）点にも特徴を有する。また、
（４）左右に進退自在に可動する該蓋部が、長手方向に連続した複数個の矩形から構成されている点にも特徴を有する。
【０００９】
本発明は、下記の実施の態様をも包含する。
（ｉ）基台１７と、互いに長手方向に貫挿し、上昇につれて段階的に縮径した複数段の中空テレスコフレーム３、４、５、具体的には図１において、３（１段フレーム）、４（２段フレーム）、５（３段フレーム）と、該テレスコフレームの内部を通りこれを段階的に伸縮させる複数段の（油圧作動の）テレスコプランジャ、具体的には、６（１段目プランジャ）、７（２段目プランジャ）、８（３段目プランジャ）から構成され、且つ両者はかご床２の下側に据え付けられ且つかご１の荷重に十分に耐えれる剛性を有しており、基台１７とテレスコフレーム間、各段のテレスコフレーム間の内側壁部に沿って支持・圧接された縦状Ｔ型レール、具体的には図１において、低速ガイドレール１６、中速ガイドレール１５、高速ガイドレール２７と該レールの先端部に嵌合する縦状コ字型シュー、具体的には図１において、低速ガイドシュー１４、中速ガイドシュー１３、高速ガイドシュー２８からなるガイドレール機能が組み込まれて昇降自在にされる構造を有していて、
しかも、（Ａ）該ガイドレール機能により各テレスコフレームが連続した動きが可能であって等速に昇降して安全性が確保され、且つ
（Ｂ）（イ）基台、該各段の中空テレスコフレームが段階的に縮径した構造と、（ロ）上昇段階においてガイドレールによって基台、各段のテレスコフレーム間にテレスコフレームの高さに相当する一定の間隔、具体的には、Ｌ1,Ｌ2,Ｌ3 が保たれる構造と、（ハ）ガイドレールとガイドシューとの重積構造ａ，ｂ，ｃ  とにより耐震構造が確保されるテレスコフレーム方式のエレベータである。
【００１０】
（ｉｉ）ガイドレール機能と基台、各段のテレスコフレームとの間にアーム９を介在させる点にも特徴を有する。また、
（ｉｉｉ）上記ガイドレールとガイドシュ−からなるガイドレール機能がテレスコフレーム３の内側角面に一緒に組み込まれているおり、しかもこの特定のガイドレール機能は、具体的には、図１において、低速用ガイドレール１６、低速用ガイドシュー１４；中速用ガイドレール１５、中速用ガイドシュー１３；高速用ガイドレール２７、高速用ガイドシュー２８等のように、中速用、低速用のガイドシュー、ガイドレールがテレスコフレームの内側角面に一緒に組み込まれれて昇降自在にされている点に特徴を有する。
（ｉｖ）テレスコフレームの形状は、多段式筒状体、詳しくは多段式円筒状、角型状、やぐら型状を含む点にも特徴を有する。
【００１１】
（ｖ）テレスコプランジャは油圧により作動する点にも特徴を有する。また、  （ｖｉ）テレスコフレーム方式の昇降時に所定の位置に停止可能な自動制御を備えている点にも特徴を有する。
（ｖｉｉ）エレベータを構成する各階の床フロアに、ドアー開閉端部等に位置決め装置２３、２３’、２４、２４’、２５を配置する点にも特徴を有する。
（ｖｉｉｉ）テレスコフレームを牽引するのに、テレスコプランジャ方式の代わりに、ロープ方式又はチェーン方式を用いる点にも特徴を有する。
（ｘｉ）かご床２にドア駆動装置２６を内蔵させる点にも特徴を有する。
【発明の効果】
【００１２】
（Ａ）テレスコ型フレーム方式によるエレベータの基本構造による効果
（イ）Ｔ型ガイドレールを省略したので、ガラスを使用した展望用エレベータでは美観上非常に良い。
（ロ）ドアー駆動装置２６は一般的にかご上部に設置されてドアーを開閉するが、本発明の方式では、かご内に内蔵されているのでより美観上良い。
（ハ）Ｔ型ガイドレールを必要としないので、エレベータの昇降路を必要としない。
（ニ）Ｔ型ガイドレールを省略しているため、レールを支持する金物構造物が不要である。
（ホ）Ｔ型ガイドレールを省略した代わりに、地震に強いテレスコフレーム方式を採用した。
【００１３】
（ヘ）テレスコフレーム、即ち３（１段フレーム）、４（２段フレーム）、５（３段フレーム）の動きを等速に昇降させることにより安全性が確保される。
（ト）テレスコフレームシステム中にガイドレール機能、即ちガイドレール１５（中速用）、１６（低速用）；ガイドシュー１３（中速用）、１４（低速用）等を組み込むことで昇降時の横揺れが少なく、また、従来方式と同等の耐震性能を確保した。
（チ）地震荷重は基本的に自立フレームを介してピット内で受けるため、地上部の建物に過度の荷重負担をかけない。
（リ）テレスコフレーム方式によりエレベータピットの深さを浅くすることが可能となる。
（ヌ）各階床フロアーには、ドアー開閉が円滑に行えるように、ドアー開閉端部に位置決め装置２３、２３’、２４、２４’、２５を配置し、多少の芯ズレを吸収できる。
【００１４】
（Ｂ）中層エレベータに特有の効果
（ｉ）ガイドプレートが自動的に前後移動式の係合装置の採用により、かご部の昇降時の揺れを防止できる。
（ｉｉ）かご部と外部との仕切りのドア通過溝部の隙間に開閉自在で自動的に覆う蓋部を設けることにより、女性の踵等の物体が挟まれなくなる。
【発明を実施するための最良の形態】
【００１５】
本発明で言うテレスコ型とは業界用語であって、多段式を意味する。
また、本発明のテレスコフレーム方式の昇降時に「所定の位置に停止可能な自動制御」とは、エレベータのかご内で飛び跳ねたり、かごを揺すったりすると、自動的にかごの揺れを検知し、安全のためにエレベータは地震時管制運転モードになり、下階へ着床し、その後に休止となる制御機能を意味する。
本発明のテレスコフレーム方式に用いるフレームは筒状体、詳しくは多段式円筒状、角型状、やぐら型状を含むものである。
本発明に言う中層エレベータとは、１、２階からなるホームエレベータや１階から４０階程度に建造物用高層エレベータに対して通常称するエレベータであって、少なくとも３階、通常１〜１２階、好ましくは１階〜７、８階程度の中層エレベータを指す。
【００１６】
以下、図面に従って本発明のエレベータの基本構造を説明する。
図１は、本発明のテレスコフレームシステムによるエレベータの２階停止時の縦断面斜視図を示す。
図２は、本発明のテレスコフレームシステムによるエレベータの１階停止時の縦断面斜視図を示す。
図３は、（イ）本発明のテレスコフレームシステムによるエレベータの横断面図であり、（ロ）はガイドレール機構のＡ拡大図である。
図４は、ガイドレール機能とテレスコフレームとの関係を示す模式図である。  図５は、ガイドレールとガイドシューとの互いに嵌合した状態を示す模式図である。
図６は、各ガイドレールの長さと各ガイドシューの間隔との関係を示す模式図である。
【００１７】
（Ａ）等速多段昇降の自立テレスコ型耐震性エレベータの基本構造
（１）図１〜３において、本発明のテレスコフレームシステムによるエレベータの作動機構を以下に説明する。
通常のガイドレールの代わりにかご床２の下側にテレスコフレームの３段フレーム構造体（又は２段、４、５段構造体）を設け、スタンドパイプ１７の内側に画された中速用、低速用ガイドレール１５、１６に案内され、かご１が上昇又は下降する。
この１段、２段、３段テレスコフレーム３、４、５は、地震時の横揺れも中速用、低速用ガイドシュー１３、１４と中速用、低速用ガイドレール１５、１６とに保持されているので外れることがなく、１段目、２段目、３段目油圧テレスコプランジャ６、７、８の上昇又は下降により１段、２段、３段テレスコフレーム３、４、５は、同様に上昇又は下降する。
【００１８】
（２）更に、細部を説明する。
この場合、油圧テレスコプランジャとテレスコフレームとは同じ動きをする。
これらの図において、高速、中速、低速テレスコフレームについて、４ケ所内蔵されていることまで図示していない。
１段テレスコフレーム３は、かご床（プラットホーム）２に固定される。
２段テレスコフレーム４は、３段テレスコフレーム５の上部チェーン用プーリー１８の端部チェーンヒッチ１９に連結され、その反対側はスタンドパイプ１７に連結される。
【００１９】
３段テレスコフレーム５は、１段テレスコフレーム３の端部チェーンヒッチ２０と３段テレスコフレーム５の下端に取り付けられたワイヤプーリー２１とスタンドパイプ１７に取り付けられたワイヤプーリー２１と、３段テレスコフレーム５の下端ワイヤヒッチエンド２２に連結され、１段テレスコフレーム３が１動くと３段テレスコフレーム５が１／３動くことになる。
夫々，２段、３段テレスコフレームの動きは、１段目、２段目、３段目の油圧テレスコプランジャ６、７、８の等速の動きと同じくして１段、２段、３段テレスコフレーム３、４、５も等速の動きが形成される。
【００２０】
図５は、ガイドレールとガイドシューとの互いに嵌合した状態を示す模式図である。
ガイドレール機能により各テレスコフレームが連続した動きが可能であって等速に昇降して安全性が確保される機構を以下に説明する。
図５に示されるように、ガイドレール機能を構成するガイドレール（中速用ガイドレール１５、低速用ガイドレール１６）とガイドシュー（中速用ガイドシュー１３、低速用ガイドシュー１４）が互いに嵌合する特別の形状によって各テレスコフレーム（１段テレスコフレーム３、２段テレスコフレーム４、３段テレスコフレーム５）間の内側壁部に沿ってガイドレール機能が支持・圧接されているので、各テレスコフレームの上昇に追従してこのガイドレール機能も途切れることなく連続的に作動して、各テレスコフレームが連続した動きが可能となって、等速・昇降が可能となる。
【００２１】
（３）耐震性の構造の細部
（ｉ）耐震性の構造の細部を図１〜３に基づいて具体的に説明する。
（イ）スタンド１２（基台）、該各段の中空テレスコフレーム（１段テレスコフレーム３、２段テレスコフレーム４、３段テレスコフレーム５）が段階的に縮径した棟造と、（ロ）上昇段階においてガイドレール（中速用ガイドレール１５、低速用ガイドレール１６）によってスタンド１２、各段のテレスコフレーム間にテレスコフレームの高さに相当する一定の間隔（ｌ1 〜ｌ3 ）が保たれる構造と、（ハ）ガイドレール（中速用ガイドレール１５、低速用ガイドレール１６）とガイドシュー（中速用ガイドシュー１３、低速用ガイドシュー１４）とによる図６に示される重積構造（ａ〜ｃ）とにより耐震構造が確保される。
【００２２】
（ｉｉ）更に、理解を深めるために、図４、６により説明する。
図４は、ガイドレール機能とテレスコフレームとの関係を示す模式図である。  図６は、各ガイドレールの長さと各ガイドシューの間隔との関係を示す模式図である。
（イ）エレベータの上昇中でも、各テレスコフレーム間に、テレスコフレームの高さに相当する一定の間隔（ｌ1 〜ｌ3 ）が保たれているので、横揺れに対して極めて安定した構造となっている。
（ロ）ガイドレールとガイドシューとが、図４、６に示されるように、重積構造（ａ〜ｃ）を構成して各テレスコフレーム間を厚くしているので、各テレスコフレーム間に地震による破断を起こさせ難くする。
また、本発明では、ガイドレール機能を補完するために、図３に示されるように、ガイドレール機能と基台、各段のテレスコフレームとの間にアーム９を介在させた。これにより、ガイドレール機能と各段のテレスコフレーム間の支持・圧接がより完全に行うことができる。
【００２３】
（４）中層用エレベータに特有の構造
図７は、本発明のかご用、乗場用のガイドプレートの前後移動による床位置決め機構を示す模式図であり、（イ）パワーシリンダによりガイドプレートが出ることによる、かご停止時（例えば最下階、最上階）の位置決め装置（係合装置Ａ）を示す模式図であり、（ロ）パワーシリンダによりガイドプレートが引っ込むことによる、かご通過時の位置決め装置（係合装置Ａ）を示す模式図である。
図８は、乗場用位置決め装置例として、ガイドプレートの前後移動の機構を示す模式図であり、（イ）ガイドプレートが基部から前方に移動する状態を示す模式図であり、（ロ）ガイドプレートが前後移動する駆動機構を示す模式図である。
図９は、敷居溝付近の構造を示し、（イ）その平面図であり、（ロ）その側面図である。
図１０は、従来例の蓋部による敷居溝部の全閉構造を示し、（イ）平面図であり、（ロ）その側面図である。
図１１は、各フロアー停止時のかご敷居と乗場敷居の関係を示す模式図であり、（イ）平面図であり、（ロ）その側面図である。
図１２は、溝部の蓋部による開閉状態を示す平面図であり、（イ）ドアが開状態の場合を示し、（ロ）ドアが開閉状態の場合を示し、（ハ）ドアが閉状態の場合を示す。
【００２４】
（Ａ）床位置決め係合装置Ａ
（ｉ）特許発明では、１階ー２階へと実質的に２ケ所停止のテレスコフレーム方式のエレベータであったが、今回の改良発明では、例えば１階ー２階ー３階停止型のテレスコフレーム方式のエレベータに対してかご乗場用床位置決め装置の改良型を見出した。
従来、エレベータの床位置決め装置は、各階フロアーの階付近のレールに固定位置で配置されており、その階にエレベータが到着した時に、ドアーの開閉が円滑に行えるように、多少の芯ズレを吸収できる構造となっている。
【００２５】
（ｉｉ）本発明の床位置決め装置Ａでは、この床位置決め装置の通過階、即ちエレベータの１〜３階の場合に２階が通過階に当たり、この階に改良を加えた。
エレベータが通過（昇降）する場合に、床位置決め装置を高速で通過するので、かご用床位置決め装置と乗場の床位置決め装置の係合部分の芯ズレが生じた場合にエレベータかご室が揺れる原因となり乗客に不快感を与える恐れがある。
これを解消するために、今回、床位置決め装置の自動調整方法を見出した。
本発明の床位置決め装置Ａは、図７に示すように建物等の壁部３１に基部３３を介して長手状のガイドプレート３２を固着し、このガイドプレート３２に嵌合する受部３４をかご部１に固着する構造である。
【００２６】
具体的に、図８（ロ）に示すように、ガイドプレート３２、３２’の前後移動は、かご部１の昇降に同期してパワーシリンダ４０を上下に可動させてガイドローラ４１とアーム機構４２とにより支えられたガイドプレート３２、３２’を前後移動させる構造である。
図７（イ）に示すように、最下階と最上階ではガイドプレート３２が前方に出て受部３４に嵌合してかご部を固定し、図７（ロ）に示すように通過階では、ガイドプレート３２’がパワーシリンダ４０の作用により基部３３内に引込むので、かご部１の揺れを起こすことがない。
このようにガイドプレート３２、３２’が、かご部１の昇降と同期して自動的に前後に移動する点が本発明の１つの特徴である。
【００２７】
（Ｂ）ドア開閉溝部を開閉自在に覆う蓋部による自動開閉機構
（ｉ）一般のエレベータのドア開閉機構はドア上部に備え付けられており、これが一般的である。
一般のエレベータでは最上階に設けるのと異なって、本発明のようにテレスコフレーム方式のエレベータは展望用が主体であって、美観的概念からドア駆動装置はかご床下に内蔵されている。
このために、テレスコフレーム方式のエレベータではドア下端部がかご下又は乗場床下に納められているので、通常の床面敷居が面一でなく、図９（ロ）に示されるように開閉方向にドア通過溝部が必要となる。
これに対して、一般のエレベータでは、図１０（ロ）に示されるように下まで貫通する溝部は必要がない。
従って、乗客が乗降する際のエレベータのかご敷居先端と乗場敷居先端の隙間（通常、ランニングクリアランスと称し、２０〜３５ｍｍ位）の外に、乗場側隙間（１５〜２０ｍｍ）が発生する。
足元に隙間があると、女性靴のハイヒールの踵が入り込む可能性があるので、通常注意用の照明を足元に点灯し、乗客の安心感の向上を図っていた。
【００２８】
（ｉｉ）本発明の蓋部による自動開閉機構は、敷居溝部３９の全面にドア４４、４５の開閉操作に連動して上下に開閉する蓋部４７により全閉（覆う）する点に特徴を有する。
本発明の蓋部による自動開閉機構は、溝部３９内のかごドア４４及び乗場ドア４５の間に設けたスプリング（好ましくは圧縮スプリング、コイル状スプリング）４８により固定された両ドア間の蓋部４７が（図１１（ロ）参照）、図１２に示されるように、両ドアが閉じる時に蓋部４７の両端の丸み５１内にもぐり込み、蓋部４７を左右に開き溝部３９を開放し、停止時には両ドアが開き左右の蓋部４７が閉じて全閉し、女性靴ハイヒール踵、小物靴の踵等の挟まれることは無くなり、不安感を解消し、安心感を向上させるのである。
【産業上の利用可能性】
【００２９】
本発明に係るテレスコフレーム方式のエレベータの開発により耐震性に優れたエレベータを提供できると共に、更に中層エレベータに適するように、ガイドプレートが自動的に前後移動式の係合装置からなる位置決め装置の採用によりかご揺れが防止でき、ドア開閉溝部の隙間に開閉自在に覆う蓋部を設ける自動開閉機構の採用により女性靴ハイヒール踵、小物靴の踵等の挟まれることは無くなり、不安感を解消できる。
【図面の簡単な説明】
【００３０】
【図１】本発明のテレスコフレーム方式によるエレベータの２階停止時の縦断面斜視図を示す。
【図２】本発明のテレスコフレーム方式によるエレベータの１階停止時の縦断面斜視図を示す。
【図３】（イ）本発明のテレスコフレーム方式によるエレベータの横断面図であり、（ロ）はガイドレール機構のＡ拡大図である。
【図４】ガイドレール機能とテレスコフレームとの関係を示す模式図である。
【図５】ガイドレールとガイドシューとの互いに嵌合した状態を示す模式図である。
【図６】各ガイドレールの長さと各ガイドシューの間隔との関係を示す模式図である。
【００３１】
【図７】ガイドプレートの前後移動による床位置決め機構を示す模式図であり、（イ）パワーシリンダによりガイドプレートが出てかご停止時（例えば最下階、最上階）のかご部を固定する位置決め装置（係合装置Ａ）を示し、（ロ）パワーシリンダによりガイドプレートが引っ込むでかご通過時のかご部の揺れ防止する位置決め装置（係合装置Ａ）を示す。
【図８】乗場用位置決め装置例として、ガイドプレートの前後移動の機構を示す模式図であり、（イ）ガイドプレートが基部から前方に移動する（出る）状態を示し、（ロ）ガイドプレートが前後移動する駆動機構を示す。
【図９】敷居溝付近の構造を示し、（イ）その平面図であり、（ロ）その側面図である。
【図１０】従来例の蓋部による敷居溝部の全閉構造を示し、（イ）平面図であり、（ロ）その側面図である。
【図１１】各フロアー停止時のかご敷居と乗場敷居の関係を示す模式図であり、（イ）平面図であり、（ロ）その側面図である。
【図１２】溝部の蓋部による開閉状態を示す平面図であり、（イ）ドアが開状態の場合を示し、（ロ）ドアが開閉状態の場合を示し、（ハ）ドアが閉状態の場合を示す。
【符号の説明】
【００３２】
１  かご
２  かご床
３  １段（テレスコ）フレーム
４  ２段（テレスコ）フレーム
５  ３段（テレスコ）フレーム
６  １段目（テレスコ）プランジャ
７  ２段目（テレスコ）プランジャ
８  ３段目（テレスコ）プランジャ
９  アーム
１０  テレスコシリンダ
１１  油圧配管
１２  スタンド
１３  中速用ガイドシュー
１４  低速用ガイドシュー
１５  中速用ガイドレール
１６  低速用ガイドレール
１７、１７’  スタンドパイプ
１８  チェーン用プーリー
１９  チェーンヒッチ
２０  チェーンヒッチ
２１、２１’  ワイヤプーリー
２２  ワイヤヒッチエンド
２３、２３’  床位置決め装置（乗場用）
２４、２４’  床位置決め装置（かご用）
２５  床位置決め装置（乗場用）
２６  ドア駆動装置
【００３３】
Ａ  係合装置
３１  壁部
３２  ガイドプレート（受部に嵌合）
３２’  ガイドプレート（基部内に引込）
３３  基部
３４  受部
３５  かご敷居
３６  乗場敷居
３７  ランニングクリアランス
３８  入り口
３９  溝部
４０  パワーシンリンダ
４１、４１’  ガイドローラ
４２  アーム機構（前後に伸縮）
４４  かごドア
４５  乗場ドア
４６  駆動装置
４７  蓋部
４８  圧縮スプリング
４９  かご側
４９’  かご床面
５０  乗場側
５０’  乗場床面
５１    丸み
【要約】      （修正有）【課題】等速多段式により昇降する自立テレスコ型フレーム方式による耐震性能に優れ、かご部の揺れを防止する機構とドア開閉溝部の隙間を開閉自在に覆う蓋部によって靴踵等が挟まれない構造とした中層用エレベータの提供。【解決手段】互いに長手方向に貫挿し、上昇につれて段階的に縮径した複数段の中空テレスコフレームと、該テレスコフレームの内部を通りこれを段階的に伸縮させる複数段のテレスコプランジャとからなり、基台とテレスコフレーム間の内側壁部に沿って支持・圧接されたガイドレールとガイドシューからなる等速に昇降可能なガイドレール機能が組み込まれたテレスコフレーム方式の中層エレベータにおいて、かご部の昇降と同期してガイドプレート３２が前後に移動する位置決め装置２３，２４とドア開閉溝部の隙間に開閉自在に蓋部が覆う機構を設ける。【選択図】図７【図１】
0004097686.tif 000002
【図２】
0004097686.tif 000003
【図３】
0004097686.tif 000004
【図４】
0004097686.tif 000005
【図５】
0004097686.tif 000006
【図６】
0004097686.tif 000007
【図７】
0004097686.tif 000008
【図８】
0004097686.tif 000009
【図９】
0004097686.tif 000010
【図１０】
0004097686.tif 000011
【図１１】
0004097686.tif 000012
【図１２】
0004097686.tif 000013